(57)【要約】  マニュアルフォーカスのモードを簡単に切り換え可能なレンズ鏡筒及びカメラ本体並びに撮影装置を提供することを目的とする。  レンズ鏡筒（１２）は、撮影光学系（２６）、第１操作リング（２７）、第２操作リング（２８）、第１及び第２センサ（２９），（３０）を備える。第１センサ（２９）は、第１操作リング（２７）の回転と、その回転量及び回転方向を検出する。第２センサ（３０）は、第２操作リング（２８）の角度位置を検出する。撮影光学系（２６）はフォーカスレンズ（５５）を含む。カメラ本体（１１）は、本体制御部（６０）を備える。本体制御部（６０）は、第１センサ（２９）が検出した回転方向及び回転量に応じてフォーカスレンズ（５５）を移動させる第１マニュアルフォーカスモードと、第２センサ（３０）が検出した角度位置に応じてフォーカスレンズ（５５）を移動させる第２マニュアルフォーカスモードとを選択的に実行する。
2016052418.tif 000002
【特許請求の範囲】
【請求項１】
フォーカスレンズを含む撮影光学系を収納するレンズ鏡筒本体と、
前記レンズ鏡筒本体に対して、前記撮影光学系の光軸を中心としてエンドレスに回転可能に取り付けられた第１操作リングと、
前記レンズ鏡筒本体に対して、前記光軸を中心として制限された角度範囲内で回転可能に取り付けられた第２操作リングと、
前記第１操作リングの回転と、その回転方向及び回転量を検出する第１センサと、
前記第２操作リングの角度位置を検出する第２センサと、
前記第１センサの出力または前記第２センサの出力に基づいて前記フォーカスレンズを前記光軸方向に移動させる駆動部と、
を備えるレンズ鏡筒。
【請求項２】
前記第１センサは、前記第１操作リングの内周面に設けられた櫛歯リングと、前記櫛歯リングの歯を検出する光学センサと有する請求項１記載のレンズ鏡筒。
【請求項３】
前記第２センサは、前記第２操作リングと連動して回転動作を直線移動に変換するカム部材と、前記カム部材による直線移動で抵抗値が変化する可変抵抗とを有する請求項１または２記載のレンズ鏡筒。
【請求項４】
前記レンズ鏡筒本体及び前記第２操作リングは、一方に距離目盛が、他方に指標が付されており、
前記駆動部は、前記第２センサの出力に基づき、前記指標の位置に合わせた距離目盛に対応する位置に前記フォーカスレンズを移動させる請求項１から３いずれか１項記載のレンズ鏡筒。
【請求項５】
請求項４記載のレンズ鏡筒が着脱自在に接続され、
前記レンズ鏡筒の前記駆動部を制御し、前記第１センサが検出した前記回転方向及び前記回転量に応じて前記フォーカスレンズを移動させる第１マニュアルフォーカスモードと、前記第２センサが検出した前記角度位置に応じて前記フォーカスレンズを移動させる第２マニュアルフォーカスモードとを選択的に実行可能とする制御部と、
前記レンズ鏡筒本体から射出された光を撮像する撮像部と、
を備えるカメラ本体。
【請求項６】
前記制御部は、前記第１マニュアルフォーカスモードの場合に、一定時間あたりに前記第１センサが検出した前記回転量に基づいて回転速度を求め、前記回転速度に応じて前記フォーカスレンズを移動させる量を変更する請求項５記載のカメラ本体。
【請求項７】
前記制御部は、
前記第１センサが前記回転を検出している間は、前記第２マニュアルフォーカスモードの実行を禁止する請求項５または６記載のカメラ本体。
【請求項８】
前記制御部は、
前記第２センサが検出する前記角度位置が変化している間は、前記第１マニュアルフォーカスモードの実行を禁止する請求項５から７いずれか１項記載のカメラ本体。
【請求項９】
前記第１マニュアルフォーカスモードにおいて、前記フォーカスレンズの位置が、前記距離目盛に対応する位置と一定以上の相違が生じた場合に、前記相違が生じたことを報知する報知部を備える請求項５から８いずれか１項記載のカメラ本体。
【請求項１０】
前記報知部は、画像表示を行う画像表示部であり、前記相違が生じたことを表示する請求項９項記載のカメラ本体。
【請求項１１】
前記レンズ鏡筒本体及び前記第２操作リングのうち前記距離目盛が設けられた一方には、周方向において、前記距離目盛の外側にオートフォーカスポジションを表すマークが付されている請求項４記載のレンズ鏡筒。
【請求項１２】
前記レンズ鏡筒本体は、前記指標の位置を前記マークに合わせた場合、前記第２操作リングをロックするロック機構を備える請求項１１記載のレンズ鏡筒。
【請求項１３】
請求項１１または１２記載のレンズ鏡筒が着脱自在に接続され、
前記レンズ鏡筒の前記駆動部を制御し、前記第１センサが検出した前記回転方向及び前記回転量に応じて前記フォーカスレンズを移動させる第１マニュアルフォーカスモードと、前記第２センサが検出した前記角度位置に応じて前記フォーカスレンズを移動させる第２マニュアルフォーカスモードとを選択的に実行する制御部と、
前記レンズ鏡筒本体から射出された光を撮像する撮像部と、
を備えるカメラ本体。
【請求項１４】
前記制御部は、前記指標が前記マークに合わせられた場合に、前記撮像部により得られる撮像信号に基づいて合焦位置を求め、前記合焦位置に前記フォーカスレンズを移動させる請求項１３記載のカメラ本体。
【請求項１５】
フォーカスレンズを含む撮影光学系を収納するレンズ鏡筒本体と、
前記レンズ鏡筒本体に対して、前記撮影光学系の光軸を中心としてエンドレスに回転可能に取り付けられた第１操作リングと、
前記レンズ鏡筒本体に対して、前記光軸を中心として制限された角度範囲内で回転可能に取り付けられた第２操作リングと、
前記第１操作リングの回転と、その回転方向及び回転量を検出する第１センサと、
前記第２操作リングの角度位置を検出する第２センサと、
前記フォーカスレンズを前記光軸方向に移動させる駆動部と、
前記駆動部を制御し、前記第１センサが検出した前記回転方向及び前記回転量に応じて前記フォーカスレンズを移動させる第１マニュアルフォーカスモードと、前記第２センサが検出した前記角度位置に応じて前記フォーカスレンズを移動させる第２マニュアルフォーカスモードとを選択的に実行する制御部と、
前記レンズ鏡筒本体から射出された光を撮像する撮像部と、
を備える撮影装置。
【発明の詳細な説明】
【技術分野】
【０００１】
本発明は、マニュアルフォーカス機能を有するレンズ鏡筒及びカメラ本体並びに撮影装置に関するものである。
【背景技術】
【０００２】
上級者向けの一眼レフタイプなどのカメラは、ユーザーが手動で焦点調節を行うことを可能とするマニュアルフォーカス機能を有する。マニュアルフォーカス機能を有するカメラは、ユーザーにより操作される操作リングと、操作リングの回転量や角度位置に応じてフォーカスレンズを移動させる駆動部とを備える。【０００３】
特許文献１，２には、第１のマニュアルフォーカスモードと第２のマニュアルフォーカスモードとを有するカメラが開示されている。第１のマニュアルフォーカスモードでは、操作リングの回転量に応じてフォーカスレンズを移動させる。第２のマニュアルフォーカスモードでは、操作リングの角度位置に応じてフォーカスレンズを移動させる。特許文献１，２記載のカメラは、第１のマニュアルフォーカスモードと第２のマニュアルフォーカスモードとを適宜切り換えて焦点調節を行うことが可能である。【０００４】
具体的には、特許文献１，２記載のカメラは、撮影光学系の光軸方向に沿った第１の位置と第２の位置との間を移動可能に取り付けた操作リングを有している。操作リングは、第１の位置にある場合には、エンドレスに回転可能である。操作リングは、第２の位置にある場合には、光軸を中心として制限した角度範囲内で回転可能である。【０００５】
また、特許文献１，２記載のカメラは、第１検出部と、第２検出部と、駆動部と、制御部とを備える。第１検出部は、操作リングの回転量を検出する。第２検出部は、操作リングの角度位置を検出する。駆動部は、フォーカスレンズを移動させる。制御部は、第１検出部、第２検出部、及び駆動部を制御する。具体的には、制御部は、操作リングが第１の位置にある場合には、操作リングの回転量に応じてフォーカスレンズを移動させる。制御部は、操作リングが第２の位置にある場合には、操作リングの角度位置に応じてフォーカスレンズを移動させる。特許文献２記載のカメラは、操作リングに距離目盛が付され、レンズ鏡筒本体に指標が付されている。制御部は、第２の位置にある操作リングの角度位置を変化させると、指標が示す位置の距離目盛に対応する撮影距離が得られる位置にフォーカスレンズを移動させる。【０００６】
ユーザーが目測等で撮影距離を決めて撮影を行う場合には、操作リングの角度位置に応じてフォーカスレンズを移動させる第２マニュアルフォーカスモードのほうが使いやすい。一方、ユーザーが画像を確認しながら撮影距離を少しずつ変えて微調整する場合には、操作リングの回転量に応じてフォーカスレンズを移動させる第１マニュアルフォーカスモードのほうが使いやすい。
【先行技術文献】
【特許文献】
【０００７】
【特許文献１】特許第５０２８９４５号
【特許文献２】特開２０１３−７８３７号公報
【発明の概要】
【発明が解決しようとする課題】
【０００８】
しかしながら、上記特許文献１，２に記載されたカメラでは、操作リングを光軸方向にスライドすることによって、第１マニュアルフォーカスモードと第２マニュアルフォーカスモードとの間で切り換えを行うため、切り換え操作に手間が掛かる。この切り換え操作を行っている間に撮影タイミングを逃してしまう可能性がある。【０００９】
本発明は、マニュアルフォーカスのモードを簡単に切り換え可能なレンズ鏡筒及びカメラ本体並びに撮影装置を提供することを目的とする。
【課題を解決するための手段】
【００１０】
本発明のレンズ鏡筒は、レンズ鏡筒本体と、第１操作リングと、第２操作リングと、第１センサと、第２センサと、駆動部とを備える。レンズ鏡筒本体は、フォーカスレンズを含む撮影光学系を収納する。第１操作リングは、レンズ鏡筒本体に対して、撮影光学系の光軸を中心としてエンドレスに回転可能に取り付けられている。第２操作リングは、レンズ鏡筒本体に対して、光軸を中心として制限された角度範囲内で回転可能に取り付けられている。第１センサは、第１操作リングの回転と、その回転方向及び回転量を検出する。第２センサは、第２操作リングの角度位置を検出する。駆動部は、第１センサの出力または第２センサの出力に基づいてフォーカスレンズを光軸方向に移動させる。【００１１】
第１センサは、櫛歯リングと、光学センサと有することが好ましい。櫛歯リングは、第１操作リングの内周面に設けられている。光学センサは、櫛歯リングの歯を検出する。また、第２センサは、カム部材と、可変抵抗とを有することが好ましい。カム部材は、第２操作リングと連動して回転動作を直線移動に変換する。可変抵抗は、カム部材による直線移動で抵抗値が変化する。【００１２】
レンズ鏡筒本体及び第２操作リングは、一方に距離目盛が付されており、他方に指標が付されている。駆動部は、第２センサの出力に基づき、指標の位置に合わせた距離目盛に対応する位置にフォーカスレンズを移動させることが好ましい。【００１３】
本発明のカメラ本体は、レンズ鏡筒が着脱自在に接続される。カメラ本体は、制御部と、撮像部とを備える。制御部は、レンズ鏡筒の駆動部を制御し、第１マニュアルフォーカスモードと、第２マニュアルフォーカスモードとを選択的に実行する。制御部は、第１マニュアルフォーカスモードでは、第１センサが検出した回転方向及び回転量に応じてフォーカスレンズを移動させる。制御部は、第２マニュアルフォーカスモードでは、第２センサが検出した角度位置に応じてフォーカスレンズを移動させる。撮像部は、レンズ鏡筒本体から射出された光を撮像する。【００１４】
制御部は、第１マニュアルフォーカスモードの場合に、一定時間あたりに第１センサが検出した回転量に基づいて回転速度を求め、回転速度に応じてフォーカスレンズを移動させる量を変更することが好ましい。【００１５】
制御部は、第１センサが回転を検出している間は、第２マニュアルフォーカスモードの実行を禁止することが好ましい。制御部は、第２センサが検出する角度位置が変化している間は、第１マニュアルフォーカスモードの実行を禁止することが好ましい。【００１６】
第１マニュアルフォーカスモードにおいて、フォーカスレンズの位置が、距離目盛に対応する位置と一定以上の相違が生じた場合に、相違が生じたことを報知する報知部を備えることが好ましい。報知部は、画像表示を行う画像表示部であり、相違が生じたことを表示することが好ましい。【００１７】
レンズ鏡筒本体及び第２操作リングのうち距離目盛が設けられた一方には、周方向において、距離目盛の外側にオートフォーカスポジションを表すマークが付されていることが好ましい。レンズ鏡筒本体は、ロック機構を備えることが好ましい。ロック機構は、指標の位置をマークに合わせた場合、第２操作リングをロックする【００１８】
制御部は、指標がマークに合わせられた場合に、撮像部により得られる撮像信号に基づいて合焦位置を求め、合焦位置にフォーカスレンズを移動させることが好ましい。【００１９】
本発明の撮影装置は、レンズ鏡筒本体と、第１操作リングと、第２操作リングと、第１センサと、第２センサと、駆動部と、制御部と、撮像部とを備える。
【発明の効果】
【００２０】
本発明によれば、レンズ鏡筒本体に対して、撮影光学系の光軸を中心としてエンドレスに回転可能に取り付けられた第１操作リングと、レンズ鏡筒本体に対して、光軸を中心として制限された角度範囲内で回転可能に取り付けられた第２操作リングとを備えるので、マニュアルフォーカスのモードを簡単に切り換えることができる。
【図面の簡単な説明】
【００２１】
【図１】レンズ交換式デジタルカメラの正面側外観斜視図である。
【図２】レンズ鏡筒及びカメラ本体の外観斜視図である。
【図３】カメラ本体の背面側外観斜視図である。
【図４】第１操作リング及び第１センサの斜視図である。
【図５】第１操作リング及び第１センサの正面図である。
【図６】第２操作リング及び第２センサの斜視図である。
【図７】背面側から見た第２操作リング及び第２センサの斜視図である。
【図８】レンズ交換式デジタルカメラの構成を示すブロック図である。
【図９Ａ】距離目盛及び指標を表示した表示画面の説明図である。
【図９Ｂ】報知を行う場合の表示画面の説明図である。
【図１０】レンズ交換式デジタルカメラの撮影手順を示すフローチャートである。
【発明を実施するための形態】
【００２２】
図１及び図２において、レンズ交換式デジタルカメラ（以下、カメラと称する）１０は、カメラ本体１１と、レンズ鏡筒１２とを備える。レンズ鏡筒１２は、カメラ本体１１に着脱自在に接続される。カメラ１０は、いわゆるミラーレス一眼タイプのデジタルカメラである。
【００２３】
カメラ本体１１は、その上面に、電源レバー１３と、レリーズスイッチ１４と、露出補正ダイヤル１５と、シャッタスピードダイヤル１６とを備える。レリーズスイッチ１４は、いわゆる「半押し」と「全押し」とを可能とする２段ストローク式のスイッチである。レリーズスイッチ１４は、半押しされることによってＳ１オン信号を出力する。レリーズスイッチ１４は、半押しから更に押し込む全押しが行われることによってＳ２オン信号を出力する。カメラ１０は、レリーズスイッチ１４からＳ１オン信号が出力されると自動焦点調節（ＡＦ（Auto Focus）処理）や自動露出制御などの撮影準備処理を実行し、Ｓ２オン信号が出力されると撮影処理を実行する。
【００２４】
カメラ本体１１の前面には、レンズ鏡筒１２が取り付けられるマウント１７と、光学ファインダ窓１８とが設けられている。マウント１７の内部には、レンズ鏡筒１２と電気的に接続するためのボディ側信号接点１９と、固体撮像素子２０とが設けられている。
【００２５】
図３に示すように、カメラ本体１１の背面には、画像表示部２１と、操作ボタン２２と、ファインダ接眼部２３とが設けられている。画像表示部２１は、ライブビュー画像や撮影済みの画像を表示する。画像表示部２１は、例えばＬＣＤ（Liquid Crystal Display）パネルで構成されている。操作ボタン２２は、複数設けられており、各種の設定操作などに用いる。ファインダ接眼部２３は、光学ファインダと、電子ファインダとに切り換え可能である。光学ファインダは、光学ファインダ窓１８を通した光学像を観察可能とする。電子ファインダは、固体撮像素子２０により撮像したライブビュー画像を観察可能とする。電子ファインダに切り換えられた場合には、ファインダ接眼部２３の奥に配置したＬＣＤ等からなるＥＶＦ（Electronic View Finder）パネル２４（図８参照）に、固体撮像素子２０で撮像したライブビュー画像が表示される。
【００２６】
レンズ鏡筒１２は、レンズ鏡筒本体２５と、撮影光学系２６と、第１操作リング２７と、第２操作リング２８と、第１及び第２センサ２９，３０（図４〜図７参照）と、ズームリング３１と、絞り調整リング３２と、レンズマウント３３と、レンズ側信号接点３４とを備える。レンズ鏡筒本体２５は、円筒形状であり、その内部に撮影光学系２６を収納する。レンズ鏡筒本体２５の後端には、レンズマウント３３が設けられている。撮影光学系２６は、レンズ鏡筒１２がカメラ本体１１に接続された場合、固体撮像素子２０に被写体光を結像する。固体撮像素子２０は、レンズ鏡筒１２を射出した光を撮像する撮像部である。
【００２７】
レンズマウント３３は、カメラ本体１１のマウント１７に着脱自在に結合する。レンズ側信号接点３４は、レンズ鏡筒１２のレンズマウント３３がカメラ本体１１のマウントに結合した場合にボディ側信号接点１９と接触し、レンズ鏡筒１２とカメラ本体１１とを電気的に接続する。
【００２８】
第１及び第２操作リング２７，２８は、ユーザーが手動で回転操作して焦点調節を行う場合に用いる操作部材である。第１操作リング２７は、レンズ鏡筒本体２５に対して、撮影光学系２６の光軸Ｌを中心としてエンドレスに回転可能に取り付けられている。なお、ここでいうエンドレスに回転可能な構成とは、レンズ鏡筒本体２５に対して回転させる場合に、いずれの回転方向にも固定端が無く、無制限に回転させることができる構成である。
【００２９】
図４に示すように、第１センサ２９は、櫛歯リング３６と、フォトインタラプタ３７ａ，３７ｂとを備える。櫛歯リング３６は、第１操作リング２７の内周面に設けられている。櫛歯リング３６は、第１操作リング２７と一体に回転する。櫛歯リング３６は、第１操作リング２７の周方向において一定のピッチＰで同一形状の歯３６ａが設けられている。この歯３６ａがフォトインタラプタ３７ａ，３７ｂの受光素子に入射する光を遮ることにより、フォトインタラプタ３７ａ，３７ｂの検出信号に変化を生じさせる。
【００３０】
フォトインタラプタ３７ａは、発光ダイオードと受光素子とが対面する位置に設けられている光学センサである。フォトインタラプタ３７ａの受光素子の検出信号は、レンズ側信号接点３４及びボディ側信号接点１９を介してカメラ本体１１側の本体制御部６０（図８参照）に出力される。また、フォトインタラプタ３７ｂは、フォトインタラプタ３７ａと同じ構成である。フォトインタラプタ３７ｂの受光素子の検出信号は、レンズ側信号接点３４及びボディ側信号接点１９を介して本体制御部６０に出力される。
【００３１】
第１操作リング２７が回転した場合、歯３６ａがフォトインタラプタ３７ａ，３７ｂの受光素子に入射する光を遮るため、フォトインタラプタ３７ａ，３７ｂの検出信号に変化が生じる。これにより、本体制御部６０は、第１操作リング２７の回転を検出することができる。さらに、本体制御部６０は、第１操作リング２７が回転した場合に、歯３６ａがフォトインタラプタ３７ａ，３７ｂの受光素子に入射する光を遮る回数をカウントすることで第１操作リング２７の回転量を検出することができる。
【００３２】
図５に示すように、フォトインタラプタ３７ａ，３７ｂは、櫛歯リング３６の歯３６ａのピッチＰに対して、互いに異なる位相で配置されている。具体的には、フォトインタラプタ３７ａ，３７ｂは、周方向における設置間隔Ｄが（１／４＋Ｎ）×Ｐを満たす位置（ここで、Ｎは正の整数）に配されている。本実施形態では、Ｎ＝２としている。
【００３３】
これにより、第１操作リング２７が一方に回転した場合に、歯３６ａがフォトインタラプタ３７ａの受光素子に入射する光を遮ってから、「１／４×Ｐ」の距離に相当する時間だけ遅れて、いずれかの歯３６ａがフォトインタラプタ３７ｂの受光素子に入射する光を遮る。
【００３４】
また、第１操作リング２７が他方に回転した場合には、歯３６ａがフォトインタラプタ３７ｂの受光素子に入射する光を遮ってから、「１／４×Ｐ」の距離に相当する時間だけ遅れて、いずれかの歯３６ａがフォトインタラプタ３７ａの受光素子に入射する光を遮る。これにより、第１操作リング２７の回転方向が検出可能となる。
【００３５】
図６に示すように、第２操作リング２８には、距離目盛３８が付されている。距離目盛３８は、第２操作リング２８の周方向に沿って、「ｎｅａｒ、０．５、０．８、１、３、５、∞」という記号または数値が配列されている。「ｎｅａｒ」は最短撮影可能距離を示し、「∞」は無限遠を示し、その他の数値はメートル単位の撮影距離を示す。撮影距離は、カメラ１０から合焦する被写体までの距離であり、焦点距離と連動する。レンズ鏡筒本体２５には、指標３９が付されている。指標３９は、直線状の印である。
【００３６】
また、第２操作リング２８には、周方向において、距離目盛３８の外側に、「Ａ」のマーク４０が付されている。マーク４０は、オートフォーカスポジションを表す。本実施形態では「∞」の記号の外側に、「Ａ」のマーク４０が付されている。
【００３７】
第２センサ３０は、カム筒４１と、ポジションセンサ４２とを備える。カム筒４１は、連結部４３を介して第２操作リング２８と連結されており、第２操作リング２８と一体となって回転する。カム筒４１は、円筒形状に形成されている。カム筒４１は、カム溝４４を有する。カム溝４４は、光軸Ｌを中心とした周方向に対して傾斜する方向に沿って切り欠かれている。
【００３８】
図７に示すように、ポジションセンサ４２は、固定枠４５と、カムピン４６と、抵抗体基板４７とを有する。固定枠４５は、カムピン４６及び抵抗体基板４７を支持し、レンズ鏡筒本体２５に固定されている。固定枠４５には、光軸Ｌに沿ったガイド溝４８が形成され、ガイド溝４８と対面する位置に抵抗体基板４７が固定されている。カムピン４６は、カム溝４４に係合し、かつガイド溝４８に挿通する。
【００３９】
カム筒４１は、カムピン４６及びガイド溝４８とともに、第２操作リング２８と連動して回転動作を直線移動に変換するカム部材である。カム筒４１が第２操作リング２８と連動して回転すると、カムピン４６がガイド溝４８のガイドに従って光軸Ｌと平行に直線移動する。第２操作リング２８は、カムピン４６がカム溝４４内を移動する範囲内で回転可能である。すなわち、第２操作リング２８は、レンズ鏡筒本体２５に対して光軸Ｌを中心として制限された角度範囲内で回転可能に取り付けられている。
【００４０】
抵抗体基板４７は、カムピン４６と接触し、カムピン４６の直線移動によって抵抗値が変化する可変抵抗を構成する。抵抗体基板４７は、抵抗値を検出信号として本体制御部６０に出力する。第２操作リング２８の角度位置に応じて抵抗値が変化するため、本体制御部６０は、抵抗値に基づいて第２操作リング２８の角度位置を検出することができる。
【００４１】
また、レンズ鏡筒本体２５には、ロック機構４９が設けられている。ロック機構４９は、指標３９の位置を、オートフォーカスポジションを表すマーク４０に合わせた場合、第２操作リング２８をロックして第２操作リング２８の回転を規制する。第２操作リング２８には、ロック解除ボタン５０が設けられている。ロック機構４９は、ロック解除ボタン５０を押圧操作するとロックを解除して第２操作リング２８の回転を許容する。
【００４２】
図８に示すように、レンズ鏡筒１２は、上述した撮影光学系２６、第１操作リング２７、第２操作リング２８、第１及び第２センサ２９，３０などの他、レンズ制御部５１と、モータドライバ５２と、ズーム機構５３とを備える。
【００４３】
レンズ制御部５１は、ＣＰＵ（Central Processing Unit）と、このＣＰＵで使用されるプログラムやパラメータを記憶したＲＯＭ（Read Only Memory）と、ＣＰＵのワークメモリとして使用されるＲＡＭ（Random Access Memory）と（いずれも図示せず）を備えたマイクロコンピュータからなり、レンズ鏡筒１２の各部を制御する。レンズ制御部５１には、モータドライバ５２が接続されている。
【００４４】
撮影光学系２６は、変倍レンズ５４と、フォーカスレンズ５５を含む複数のレンズと、絞りユニット５６とを備える。ズーム機構５３は、マニュアルズーム機構であり、ズームリング３１の回転動作を直線移動に変換して変倍レンズ５４を移動させる。変倍レンズ５４は、ズーム機構５３の駆動により光軸Ｌ方向に移動し、画角を変更する。
【００４５】
フォーカスレンズ５５は、モータ５８の駆動により光軸Ｌ方向に移動し、撮影距離を調節する。絞りユニット５６は、モータ５９の駆動により複数枚の絞り羽根（図示せず）を移動させ、固体撮像素子２０への入射光量を変化させる。モータ５８、５９は、ステッピングモータやサーボモータである。モータドライバ５２は、レンズ制御部５１の制御に基づき、モータ５８、５９の駆動を制御する。本実施形態では、モータ５８及びモータドライバ５２が、フォーカスレンズ５５を光軸Ｌ方向に移動させるレンズ駆動部を構成している。
【００４６】
レンズ側信号接点３４は、レンズ鏡筒１２とカメラ本体１１との間で電気信号の授受を行う。具体的には、レンズ側信号接点３４は、レンズ制御部５１に対してカメラ本体１１側から信号を送る。レンズ側信号接点３４は、第１及び第２センサ２９，３０が出力した検出信号をレンズ鏡筒１２側からカメラ本体１１側に送る。レンズ側信号接点３４は、カメラ本体１１から電力供給を受け、レンズ鏡筒１２の各部に電力を供給する。
【００４７】
また、レンズ鏡筒１２には、絞り調整リング３２の角度位置、または回転方向及び回転量を検出するセンサ（図示せず）が設けられており、第１及び第２センサ２９，３０と同様にカメラ本体１１に検出信号を送る。
【００４８】
カメラ本体１１は、上述したレリーズスイッチ１４、固体撮像素子２０、画像表示部２１、及びＥＶＦパネル２４の他、本体制御部６０、シャッタユニット６１、モータドライバ６２、画像メモリ６３、画像データ処理部６４、ＡＦ処理部６５、ＬＣＤドライバ６６、及びカードＩ／Ｆ（Inter Face）６７を有している。カメラ本体１１の各部は、バスライン６８により接続されている。
【００４９】
本体制御部６０は、ＣＰＵと、このＣＰＵで使用されるプログラムやパラメータを記憶したＲＯＭと、ＣＰＵのワークメモリとして使用されるＲＡＭと（いずれも図示せず）を備えている。本体制御部６０は、カメラ本体１１と、カメラ本体１１に接続したレンズ鏡筒１２の各部を制御する。本体制御部６０には、レリーズスイッチ１４からＳ１、Ｓ２信号が入力される。また、本体制御部６０には、ボディ側信号接点１９が接続されている。
【００５０】
シャッタユニット６１は、いわゆるフォーカルプレーンシャッタである。シャッタユニット６１は、マウント１７と固体撮像素子２０との間に配置されている。シャッタユニット６１は、撮影光学系２６と固体撮像素子２０との間の光路を遮断可能に設けられており、開口状態と閉口状態とをとり得る。シャッタユニット６１は、ライブビュー画像及び動画撮影時に開口状態とされ、静止画撮影時に一時的に閉口状態となる。このシャッタユニット６１は、シャッタモータ７１により駆動される。モータドライバ６２は、シャッタモータ７１の駆動を制御する。
【００５１】
固体撮像素子２０は、本体制御部６０により駆動制御される。固体撮像素子２０は、例えば、Ｒ（Red）Ｇ（Green）Ｂ（Blue）方式のカラーフィルタを有する単板カラー撮像方式のＣＭＯＳ（Complementary Metal Oxide Semiconductor）型イメージセンサである。固体撮像素子２０は、２次元マトリクス状に配列された複数の画素（図示せず）により構成された受光面を有している。各画素は、光電変換素子を含んでおり、レンズ鏡筒１２により受光面に結像した被写体像を光電変換して撮像信号を生成する。
【００５２】
また、固体撮像素子２０は、ノイズ除去回路、オートゲインコントローラ、及びＡ／Ｄ（Analog to Digital）変換回路などの信号処理回路（いずれも図示せず）を備える。ノイズ除去回路は、撮像信号にノイズ除去処理を施す。オートゲインコントローラは、撮像信号のレベルを最適な値に増幅する。Ａ／Ｄ変換回路は、アナログの撮像信号をデジタル信号に変換して固体撮像素子２０からバスライン６８に出力する。固体撮像素子２０の出力信号は、画素ごとに１つの色信号を有する画像データ（いわゆるＲＡＷデータ）である。
【００５３】
画像メモリ６３は、固体撮像素子２０が出力した１フレーム分の画像データを格納する。画像データ処理部６４は、画像メモリ６３から１フレーム分の画像データを読み出し、マトリクス演算、デモザイク処理、γ補正、輝度・色差変換、及びリサイズ処理などの公知の画像処理を施す。
【００５４】
ＬＣＤドライバ６６は、画像データ処理部６４で画像処理した１フレーム分の画像データを、順次に画像表示部２１またはＥＶＦパネル２４に入力する。画像表示部２１及びＥＶＦパネル２４は、ライブビュー画像を一定の周期で順次に表示する。カードＩ／Ｆ６７は、カメラ本体１１に設けたカードスロット（図示せず）内に組み込まれており、カードスロットに挿入したメモリカード６９と電気的に接続する。カードＩ／Ｆ６７は、画像データ処理部６４で画像処理した画像データをメモリカード６９に格納する。また、メモリカード６９に格納されている画像データを表示する場合には、カードＩ／Ｆ６７は、メモリカード６９から画像データを読み出す。
【００５５】
本体制御部６０は、第１センサ２９の出力または第２センサ３０の出力に基づいてフォーカスレンズ５５を移動させる制御をレンズ制御部５１に対して行う。本体制御部６０は、本発明の「制御部」に対応する。本体制御部６０は、第１マニュアルフォーカスモードと、第２マニュアルフォーカスモードとを選択的に実行する制御信号をレンズ制御部５１に送信する。本体制御部６０は、第１マニュアルフォーカスモードの場合、第１センサ２９が検出した第１操作リング２７の回転方向及び回転量に応じてフォーカスレンズ５５を移動させる。本体制御部６０は、第２マニュアルフォーカスモードの場合、第２センサ３０が検出した第２操作リング２８の角度位置に応じてフォーカスレンズ５５を移動させる。レンズ制御部５１は、制御信号に基づいてモータドライバ５２を制御し、フォーカスレンズ５５を移動させる。
【００５６】
本体制御部６０は、第１マニュアルフォーカスモードの場合に、一定時間あたりに第１センサ２９が検出した回転量に基づいて回転速度を求め、回転速度に応じてフォーカスレンズ５５を移動させる量を変更する。すなわち、本体制御部６０は、回転速度が小さい場合は、フォーカスレンズ５５の移動量を小さくする制御を行い、回転速度が大きい場合は、フォーカスレンズ５５の移動量を大きくする制御を行う。
【００５７】
本体制御部６０は、第２マニュアルフォーカスモードの場合に、第２センサ３０の検出信号に基づき、指標３９が示す位置の距離目盛３８に対応する撮影距離が得られる位置にフォーカスレンズ５５を移動させる。
【００５８】
また、本体制御部６０は、第１センサ２９が回転を検出している間は、第２マニュアルフォーカスモードの実行を禁止する。また、本体制御部６０は、第２センサ３０が検出する角度位置が変化している間は、第１マニュアルフォーカスモードの実行を禁止する。
【００５９】
さらに、本体制御部６０は、第２センサ３０が検出した第２操作リング２８の角度位置に基づき、マーク４０を示す位置に指標３９がある場合には、オートフォーカスモードを実行する。
【００６０】
ＡＦ処理部６５は、１フレーム分の画像データから、高周波成分の積算値であるＡＦ評価値を算出する。このＡＦ評価値は、画像のコントラストに対応する。本体制御部６０は、オートフォーカスモードの場合に、１フレーム分の画像ごとに算出されるＡＦ評価値に基づいて、ＡＦ評価値が最大値となるフォーカスレンズ５５の位置（合焦位置）を算出し、制御信号をレンズ制御部５１に送信する。レンズ制御部５１は、本体制御部６０から受信した制御信号に基づいてモータドライバ５２を制御し、合焦位置にフォーカスレンズ５５を移動させる。
【００６１】
また、本体制御部６０は、絞り調整リング３２の回転操作を検出するセンサの出力に応じて絞りユニット５６を動作させ、絞り径を可変させる制御信号をレンズ制御部５１に送信する。レンズ制御部５１は、本体制御部６０から受信した制御信号に基づいてモータドライバ５２を制御し、絞り径を可変させる。
【００６２】
カメラ本体１１では、前面に設けたモード切り換えレバー７２（図２参照）の操作によりオートフォーカスモード及びマニュアルフォーカスモードの選択入力を行うことができる。ただし、カメラ本体１１にレンズ鏡筒１２が接続されている場合、本体制御部６０は、第１及び第２操作リング２７，２８の出力に基づいて実行する第１及び第２マニュアルフォーカスモード、またはオートフォーカスモードを優先させる。すなわち、カメラ本体１１にレンズ鏡筒１２が接続されている場合には、オートフォーカスモード及びマニュアルフォーカスモードの選択操作は無効化される。
【００６３】
本体制御部６０は、第１マニュアルフォーカスモードまたは第２マニュアルフォーカスモードの場合に、ＬＣＤドライバ６６を制御して、第１センサ２９または第２センサ３０の検出信号に基づき、撮影光学系２６の撮影距離を表す距離目盛及び指標を画像表示部２１に表示させる。
【００６４】
図９Ａは、画像表示部２１に、撮影光学系２６の撮影距離を表す距離目盛７７及び指標７８を表示した表示画面である。この表示画面７５では、画像表示エリア７６の下方に距離目盛７７と指標７８とが表示されている。距離目盛７７には、レンズ鏡筒１２の距離目盛３８と同じ数値及び記号が配列されている。第１マニュアルフォーカスモードの場合、第１操作リング２７の回転方向及び回転量に応じて指標７８が距離目盛７７の上を移動し、現在の撮影距離の位置を示す。第２マニュアルフォーカスモードの場合、第２操作リング２８の角度位置に応じて指標７８が距離目盛７７の上を移動し、現在の撮影距離の位置を示す。
【００６５】
画像表示部２１は、第１マニュアルフォーカスモードの場合に、報知部として機能する。第２マニュアルフォーカスモードでは、指標３９が示す位置の距離目盛３８に対応する位置にフォーカスレンズ５５を位置させることができるが、第１マニュアルフォーカスモードの場合には、第１操作リング２７の回転方向及び回転量に応じてフォーカスレンズ５５を移動させると、距離目盛３８に対応する位置から外れた位置になることがある。
【００６６】
本体制御部６０は、第１マニュアルフォーカスモードにおいて、第２センサ３０の検出信号に基づき、指標３９が示す位置の距離目盛３８に対応する位置と、第１センサ２９の検出信号に基づき、第１操作リング２７の回転方向及び回転量に応じて移動させたフォーカスレンズ５５の位置とを比較する。そして、本体制御部６０は、フォーカスレンズ５５の位置と、距離目盛３８に対応する位置との間で一定以上の相違が生じた場合に、報知信号をＬＣＤドライバ６６に送る。
【００６７】
ＬＣＤドライバ６６は、本体制御部６０から報知信号が入力されると、画像表示部２１の表示画面７５を変化させる。例えば、図９Ｂに示すように、フォーカスレンズ５５の位置が、距離目盛３８に対応する位置と一定以上の相違が生じた場合、指標７８の色を変化させる。このように表示内容を変更することで、画像表示部２１は、ユーザーに報知することができる。
【００６８】
以下、カメラ１０の動作について、図１０のフローチャートを参照して説明する。先ず、ユーザーにより電源レバー１３が操作されて電源がオン状態になるとカメラ１０の各部に電圧が供給される。操作ボタン２２などが操作されて、撮影モードが選択されると、本体制御部６０は、第２センサ３０による検出信号から第２操作リング２８の角度位置を検出し、指標３９の位置がオートフォーカスポジションを表すマーク４０の位置にあるか否かを判定する（Ｓ１）。
【００６９】
指標３９の位置がマーク４０の位置にある場合（Ｓ１でＹＥＳ）、本体制御部６０は、オートフォーカスモードの開始をＡＦ処理部６５などに指示する（Ｓ２）。本体制御部６０は、レリーズスイッチ１４の半押し操作により、Ｓ１オン信号が入力された場合（Ｓ３でＹＥＳ）、ＡＦ処理部６５で算出されるＡＦ評価値に基づき、合焦位置を算出し（Ｓ４）、算出した合焦位置にフォーカスレンズ５５を移動させる（Ｓ５）。
【００７０】
一方、指標３９の位置がマーク４０の位置ではない場合（Ｓ１でＮＯ）、本体制御部６０は、第１センサ２９の検出信号に基づき、第１操作リング２７の回転の有無を判定する（Ｓ６）。第１操作リング２７の回転を検出した場合（Ｓ６でＹＥＳ）、本体制御部６０は、第１マニュアルフォーカスモードを開始し（Ｓ７）、第１操作リング２７の回転方向及び回転量に応じてフォーカスレンズ５５を移動させる（Ｓ８）。第１マニュアルフォーカスモードの開始前に第２マニュアルフォーカスモードを実行した場合は、フォーカスレンズ５５の位置が、距離目盛３８に対応する位置に合わせられているため、このステップ８（Ｓ８）では、第１操作リング２７の回転方向及び回転量に応じてフォーカスレンズ５５が距離目盛３８に対応する位置からずれていく。
【００７１】
なお、第１マニュアルフォーカスモードでは、上述したように、本体制御部６０は、一定時間あたりに第１センサ２９が検出した回転量に基づいて回転速度を求め、回転速度に応じてフォーカスレンズ５５を移動させる量を変更し、かつフォーカスレンズ５５の位置が、距離目盛３８に対応する位置と一定以上の相違が生じた場合、ＬＣＤドライバ６６により画像表示部２１の表示を変化させる。また、本体制御部６０は、第１センサ２９が回転を検出し、第１マニュアルフォーカスモードを実行している間は、第２マニュアルフォーカスモードの実行を禁止している。したがって、この間に、第２操作リング２８の角度位置が変化しても第２マニュアルフォーカスモードに切り換えられることがない。
【００７２】
第１操作リング２７の回転方向及び回転量に応じた位置に到達しない場合（Ｓ９でＮＯ）、フォーカスレンズ５５の移動が継続される（Ｓ８）。第１操作リング２７の回転方向及び回転量に応じた位置に到達すると（Ｓ９でＹＥＳ）、ステップ１（Ｓ１）の判定に戻る。
【００７３】
指標３９の位置がマーク４０の位置ではなく（Ｓ１でＮＯ）、且つ第１操作リング２７の回転が検出されない場合（Ｓ６でＮＯ）、本体制御部６０は、第２センサ３０の検出信号に基づき、第２操作リング２８の角度位置に変化があるか否かを判定する（Ｓ１０）。第２操作リング２８の角度位置が変化した場合（Ｓ１０でＹＥＳ）、本体制御部６０は、第２マニュアルフォーカスモードを開始し（Ｓ１１）、先ず、第２操作リング２８の距離目盛３８に対応する位置にフォーカスレンズ５５が位置するか否かを判定する（Ｓ１２）。
【００７４】
距離目盛３８に対応する位置にフォーカスレンズ５５が位置していない場合（Ｓ１２でＮＯ）、本体制御部６０は、フォーカスレンズ５５の位置を距離目盛３８に対応する位置に合わせるリセット制御を行う（Ｓ１３）。これは、第２マニュアルフォーカスモードの開始前に第１マニュアルフォーカスモードを実行した場合には、フォーカスレンズ５５の位置と距離目盛３８に対応する位置とで相違が生じているため、本体制御部６０は、このようなリセット制御を行う。
【００７５】
また、第２マニュアルフォーカスモードの開始前にオートフォーカスモードを実行した場合、フォーカスレンズ５５の位置は、被写体までの距離に応じて異なっており、例えば、撮影機会の多い３ｍ程度の撮影距離が得られる位置にセットされている。このため、第２マニュアルフォーカスモードを開始した場合、本体制御部６０は、マーク４０の隣に位置する距離目盛３８が示す無限遠に対応する位置に、フォーカスレンズ５５を一旦合わせるリセット制御を行う。
【００７６】
リセット制御の後、本体制御部６０は、第２センサ３０の検出信号に基づき、フォーカスレンズ５５を移動させる（Ｓ１４）。また、距離目盛３８に対応する位置にフォーカスレンズ５５が位置していた場合（Ｓ１２でＹＥＳ）も、本体制御部６０は、第２センサ３０の検出信号に基づき、フォーカスレンズ５５を移動させる（Ｓ１４）。本体制御部６０は、第２センサ３０が検出する角度位置が変化して、第２マニュアルフォーカスモードを実行している間は、第１マニュアルフォーカスモードの実行を禁止しており、この間に第１センサ２９が回転を検出しても第１マニュアルフォーカスモードに切り換えられることがない。
【００７７】
距離目盛３８に対応する位置にフォーカスレンズ５５が到達しない場合（Ｓ１５でＮＯ）、フォーカスレンズ５５の移動が継続される（Ｓ１４）。距離目盛３８に対応する位置にフォーカスレンズ５５が到達すると（Ｓ１５のＹＥＳ）、ステップ１（Ｓ１）の判定に戻る。そして、指標３９の位置がマーク４０の位置ではなく（Ｓ１でＮＯ）、第１操作リング２７の回転が検出されず（Ｓ６でＮＯ）、且つ第２操作リング２８の角度位置に変化がない場合（Ｓ１０でＮＯ）、本体制御部６０は、フォーカスレンズ５５の駆動を停止させる（Ｓ１６）。
【００７８】
以上のように、第１及び第２操作リング２７，２８の回転操作だけで第１マニュアルフォーカスモードと第２マニュアルフォーカスモードとが選択的に実行されるため、面倒な切り換え操作を必要としない。このため、撮影タイミングを逃すことがなく、撮影を行うことができる。
【００７９】
また、第１マニュアルフォーカスモードの実行中は、第２マニュアルフォーカスモードの実行を禁止し、第２マニュアルフォーカスモードの実行中は、第１マニュアルフォーカスモードの実行を禁止しているため、ユーザーの意図しないタイミングで第１マニュアルフォーカスモードと第２マニュアルフォーカスモードとが切り換わることがない。
【００８０】
また、第１マニュアルフォーカスモードにおいて、フォーカスレンズ５５の位置が、距離目盛３８に対応する位置と一定以上の相違が生じた場合、画像表示部２１の表示内容を変更して報知するため、ユーザーは、現在の撮影距離を容易に認識することができる。
【００８１】
上記実施形態のカメラ１０では、固体撮像素子２０の画像信号をもとに、フォーカスレンズ５５を動かしながらコントラストが大きな位置を探してピントを合わせるコントラストＡＦ方式を用いているが、本発明はこれに限らず、位相差ＡＦ方式を用いてもよい。位相差ＡＦ方式では、受光面に入射する光の角度に対して依存性を有する位相差検出画素を受光面内に所定のパターンで複数配置した固体撮像素子が用いられる。位相差検出画素は、右方向からの入射感度が高い第１視差画素と、左方向からの入射感度が高い第２視差画素とからなる。複数の第１視差画素による像と、複数の第２視差画素による像とのずれ量から、合焦位置が求められる。
【００８２】
上記実施形態では、第２操作リング２８に距離目盛３８を付し、レンズ鏡筒本体２５に指標３９を付しているが、これに限らず、第２操作リング２８に指標３９を付し、レンズ鏡筒本体２５に距離目盛３８を付してもよい。また、この場合、レンズ鏡筒本体２５に付した距離目盛３８の外側に、オートフォーカスポジションを表すマーク４０を付すことが好ましい。
【００８３】
また、上記実施形態では、第１マニュアルフォーカスモードにおいて、フォーカスレンズ５５の位置が、距離目盛３８に対応する位置と一定以上の相違が生じた場合、画像表示部２１に表示する指標７８の色を変更して報知を行っているが、これに限らず、指標７８以外の色を変化させたり、表示内容を変更させたりしてもよい。また、報知部としては、画像表示部２１に限らず、例えば、発光状態や色が変化するインジケータなどでもよい。また、上記実施形態では、変倍レンズ５４を移動させるマニュアルズーム機構を備えているが、これに限らず、ズームリング３１の回転操作を検出するセンサの出力に応じてモータを駆動させ、変倍レンズ５４を移動させるズーム機構でもよい。
【００８４】
上記実施形態では、ミラーレス一眼タイプのデジタルカメラを例に説明したが、本発明は、一眼レフタイプのデジタルカメラなどその他のレンズ交換型デジタルカメラにも適用することができる。また、上記実施形態のデジタルカメラでは、カメラ本体とレンズ鏡筒とを別体とし、両者を着脱自在とする構成としているが、本発明はこれに限らず、カメラ本体とレンズ鏡筒とを一体に設けた撮影装置としてもよい。
【符号の説明】
【００８５】
１０  レンズ交換式デジタルカメラ
１１  カメラ本体
１２  レンズ鏡筒
２０  固体撮像素子
２５  レンズ鏡筒本体
２６  撮影光学系
２７  第１操作リング
２８  第２操作リング
２９  第１センサ
３０  第２センサ
３８  距離目盛
３９  指標
４０  マーク
６０  本体制御部
【図１】
2016052418.tif 000003
【図２】
2016052418.tif 000004
【図３】
2016052418.tif 000005
【図４】
2016052418.tif 000006
【図５】
2016052418.tif 000007
【図６】
2016052418.tif 000008
【図７】
2016052418.tif 000009
【図８】
2016052418.tif 000010
【図９Ａ】
2016052418.tif 000011
【図９Ｂ】
2016052418.tif 000012
【図１０】
2016052418.tif 000013
【手続補正書】
【提出日】平成29年4月3日(2017.4.3)
【手続補正１】
【補正対象書類名】特許請求の範囲
【補正対象項目名】全文
【補正方法】変更
【補正の内容】
【特許請求の範囲】
【請求項１】
フォーカスレンズを含む撮影光学系を収納するレンズ鏡筒本体と、
前記レンズ鏡筒本体に対して、前記撮影光学系の光軸を中心としてエンドレスに回転可能に取り付けられた第１操作リングと、
前記レンズ鏡筒本体に対して、前記光軸を中心として制限された角度範囲内で回転可能に取り付けられた第２操作リングと、
前記第１操作リングの回転と、その回転方向及び回転量を検出する第１センサと、
前記第２操作リングの角度位置を検出する第２センサと、
前記第１センサの出力または前記第２センサの出力に基づいて前記フォーカスレンズを前記光軸方向に移動させる駆動部と、を備え、
前記レンズ鏡筒本体及び前記第２操作リングは、一方に距離目盛が、他方に指標が付されており、
前記駆動部は、前記第２センサの出力に基づき、前記指標の位置に合わせた距離目盛に対応する位置に前記フォーカスレンズを移動させる
ことを特徴とするレンズ鏡筒が着脱自在に接続されるカメラ本体において、
前記レンズ鏡筒の前記駆動部を制御し、前記第１センサが検出した前記回転方向及び前記回転量に応じて前記フォーカスレンズを移動させる第１マニュアルフォーカスモードと、前記第２センサが検出した前記角度位置に応じて前記フォーカスレンズを移動させる第２マニュアルフォーカスモードとを選択的に実行可能とする制御部と、
前記レンズ鏡筒本体から射出された光を撮像する撮像部と、
前記第１マニュアルフォーカスモードにおいて、前記フォーカスレンズの位置が、前記距離目盛に対応する位置と一定以上の相違が生じた場合に、前記相違が生じたことを報知する報知部と、
を備えるカメラ本体。
【請求項２】
前記第１センサは、前記第１操作リングの内周面に設けられた櫛歯リングと、前記櫛歯リングの歯を検出する光学センサと有する請求項１記載のカメラ本体。
【請求項３】
前記第２センサは、前記第２操作リングと連動して回転動作を直線移動に変換するカム部材と、前記カム部材による直線移動で抵抗値が変化する可変抵抗とを有する請求項１または２記載のカメラ本体。
【請求項４】
前記制御部は、前記第１マニュアルフォーカスモードの場合に、一定時間あたりに前記第１センサが検出した前記回転量に基づいて回転速度を求め、前記回転速度に応じて前記フォーカスレンズを移動させる量を変更する請求項１から３いずれか１項記載のカメラ本体。
【請求項５】
前記制御部は、
前記第１センサが前記回転を検出している間は、前記第２マニュアルフォーカスモードの実行を禁止する請求項１から４いずれか１項記載のカメラ本体。
【請求項６】
前記制御部は、
前記第２センサが検出する前記角度位置が変化している間は、前記第１マニュアルフォーカスモードの実行を禁止する請求項１から５いずれか１項記載のカメラ本体。
【請求項７】
前記報知部は、画像表示を行う画像表示部であり、前記相違が生じたことを表示する請求項１から６いずれか１項記載のカメラ本体。
【手続補正３】
【補正対象書類名】明細書
【補正対象項目名】００１７
【補正方法】変更
【補正の内容】
【００１７】
レンズ鏡筒本体及び第２操作リングのうち距離目盛が設けられた一方には、周方向において、距離目盛の外側にオートフォーカスポジションを表すマークが付されていることが好ましい。レンズ鏡筒本体は、ロック機構を備えることが好ましい。ロック機構は、指標の位置をマークに合わせた場合、第２操作リングをロックする。
【手続補正４】
【補正対象書類名】明細書
【補正対象項目名】００４９
【補正方法】変更
【補正の内容】
【００４９】
本体制御部６０は、ＣＰＵと、このＣＰＵで使用されるプログラムやパラメータを記憶したＲＯＭと、ＣＰＵのワークメモリとして使用されるＲＡＭと（いずれも図示せず）を備えている。本体制御部６０は、カメラ本体１１と、カメラ本体１１に接続したレンズ鏡筒１２の各部を制御する。本体制御部６０には、レリーズスイッチ１４からＳ１、Ｓ２オン信号が入力される。また、本体制御部６０には、ボディ側信号接点１９が接続されている。
【国際調査報告】
2016052418.tif 000014
2016052418.tif 000015
2016052418.tif 000016
2016052418.tif 000017